(57)【要約】【課題】本発明は、小型でメンテナンスに優れたカードリーダを提供することを目的とする。【解決手段】本発明は、カードを蓄積するカードホッパ部と、カードホッパ部から供給されたカードを搬送する搬送路と、カードを搬送路内で移動させる搬送手段と、搬送路内に存在するカードにデータを記録する動作かカードからデータを再生する動作の少なくとも一方の動作を行うデータ記録再生手段と、カードに可視画像を形成する画像形成手段と、カードに形成された可視画像を消去する画像消去手段とを備えたカードリーダ部と、カードホッパ部と、カードリーダ部とを内部に収納する筐体とを備えたものである。【選択図】図５
2007193632.tif 000002
【特許請求の範囲】
【請求項１】
カードを蓄積するカードホッパ部と、前記カードホッパ部から供給されたカードを搬送する搬送路と、カードを前記搬送路内で移動させる搬送手段と、前記搬送路内に存在するカードにデータを記録する動作かカードからデータを再生する動作の少なくとも一方の動作を行うデータ記録再生手段と、カードに可視画像を形成する画像形成手段と、カードに形成された可視画像を消去する画像消去手段とを備えたカードリーダ部と、前記カードホッパ部と、前記カードリーダ部とを内部に収納する筐体とを備えたことを特徴とするカードリーダ。
【請求項２】
前記筐体は前記カードリーダ部とカードホッパ部とを固定する外装ベースと、前記外装ベースに着脱可能な外装蓋とを備えたことを特徴とする請求項１に記載のカードリーダ。
【請求項３】
カードが排出される排出口に傾斜部を備えたことを特徴とする請求項１，２いずれか１項に記載のカードリーダ。
【請求項４】
前記カードホッパ部の前記カードリーダ部へカードを供給する駆動手段に、手動駆動用の調整ナットを備えたことを特徴とする請求項１〜３いずれか１項に記載のカードリーダ。
【請求項５】
前記カードリーダ部の搬送路に固定ガイドと可動ガイドを設け、前記二つのガイドによってカードの両側部を案内しながら搬送することを特徴とする請求項１〜４いずれか１項に記載のカードリーダ。
【発明の詳細な説明】
【技術分野】
【０００１】
本発明は、カード等の情報記録媒体に、データの記録か再生の少なくとも一方を行うカードリーダに関するものである。
【背景技術】
【０００２】
従来から、カードはその携帯性に利便なことから、種々の用途で使用され、その種類も様々である。例えば、テレホンカード、乗車券等のプリペイドカード、定期券、回数券、ポイントカード、更に、銀行カード、キャッシュカード、クレジットカード、運転免許証等のＩＤカード、会員カード、身分証明書等が挙げられる。
【０００３】
また、これらのカードは、個人識別情報や残高、累積ポイント等の情報を記録・保持するため、磁気記録層、光記録層、或いはＩＣメモリー等に代表されるメモリ部を有している。これらのメモリ部に記録された情報は、専用のカードリーダで再生されるが、磁気記録層、光記録層、ＩＣメモリーに記録された情報は不可視情報であるので、カードの持ち主がその記録情報を直接確認する事はできない。
【０００４】
そこで従来から、これら不可視の記録情報を可視的に表示する事がなされている。例えば、インクジェット、感熱転写、レーザービームプリンタ等の様々な印字手段によってカード表面に情報を印字したり、カードに予め感熱発色層を形成し感熱記録する等の追記型の表示がなされている。追記型の表示方法では、カード表面の表示領域の制約で、より多くの情報を表示できない。そこで最近では、書換可能な表示方法が採用されている。例えば、カードに液晶表示体を形成する場合や、加熱によって、繰り返し印字・消去が可能である熱可逆的材料を使用して表示する事もなされている。これらの表示方法を用いることによって、磁気記録層、光記録層、ＩＣメモリー等に記録された、不可視の記録情報を可視的に表示する事だけでなく、これらの情報に加えて更に新たな情報や、例えば、広告、宣伝等の情報も可視的に表示できる。
【０００５】
更に、これらのカードの用途、情報記録方式、表示方法が様々であることに加えて、カード基材を構成する材料や、磁気ストライプ、ＩＣチップ等のメモリ部の位置、カードの大きさや厚み等の規格等も多種多様となっている。例えば、カード材料としては、ポリ塩化ビニル（ＰＶＣ）、ポリ塩化酢酸ビニル（ＰＶＣＡ）、ポリエチレンテレフタレート（ＰＥＴ）、ポリカーボネイト（ＰＣ）、生分解性材料等のプラスチックや紙、合成紙が使用されている。また、全ての識別カードに関するＪＩＳＸ６３０１や外部端子付きＩＣカードに関するＪＩＳＸ６３０３の規定では、厚さが０．７６ｍｍ±０．０８ｍｍである。一般には、０．２８ｍｍ厚の硬質塩化ビニルシート２枚を積層し、この表裏に０．１ｍｍ厚の硬質塩化ビニルシートを貼合わせた構成が知られている。更に、カードによっては、口座番号、有効期限や所有者氏名が、カード基材を物理的に隆起させて形成される、いわゆるエンボス加工も施されている。このような硬質プラスチックを基材とするカードばかりではなく、テレホンカードに代表されるプリペイドカード等は、カード厚みが０．２０〜０．２８ｍｍ程度の薄手のカードである。
【０００６】
このように現在カードは多種多様なものとなっている。そして、これらのカードから情報を読み取ったり（リード）、或いは、カードに対して情報を記録したり（ライト）、或いは、カードに表示する情報を書き換えたりする機能を有する装置がカードリーダである。
【０００７】
このようなカードリーダにおいて、従来から複数のカードを処理するカードリーダが知られている。なお、一例として、（特許文献１）に開示されている。
【特許文献１】特開平９−２１２５９２号公報
【発明の開示】
【発明が解決しようとする課題】
【０００８】
しかしながら、従来のカードリーダは、搬送系が複雑な機構になっており、小型でコンパクトなものではなく、更に、メンテナンスも容易ではないと言う課題があった。
【０００９】
本発明は、上記従来の課題を解決するもので、小型でメンテナンスに優れたカードリーダを提供することを目的とする。
【課題を解決するための手段】
【００１０】
本発明は、上記目的を達成するために、カードを蓄積するカードホッパ部と、カードホッパ部から供給されたカードを搬送する搬送路と、カードを搬送路内で移動させる搬送手段と、搬送路内に存在するカードにデータを記録する動作かカードからデータを再生する動作の少なくとも一方の動作を行うデータ記録再生手段と、カードに可視画像を形成する画像形成手段と、カードに形成された可視画像を消去する画像消去手段とを備えたカードリーダ部と、カードホッパ部と、カードリーダ部とを内部に収納する筐体とを備えたものである。
【発明の効果】
【００１１】
本発明によれば、コンパクトでメンテナンスに優れたカードリーダが得られる。
【発明を実施するための最良の形態】
【００１２】
以下、本発明における実施の形態について説明する。
【００１３】
図１は本発明の一実施の形態におけるカードリーダを示す正面図、図２は本発明の一実施の形態におけるカードリーダを示す側面図、図３は本発明の一実施の形態におけるカードリーダを示す上面図、図４は本発明の一実施の形態におけるカードリーダを示す背面図である。
【００１４】
図１から図４において、１００はカードリーダ、１０１は外装ベース、１０２は外装蓋、１０３はディスプレイ、１０４はロックである。２は排出口を示している。
【００１５】
外装ベース１０１と外装蓋１０２とで、カードリーダ１００の筐体が構成されている。
【００１６】
そして、外装蓋１０２は外装ベース１０１に着脱可能となっており、この外装ベース１０１と外装蓋１０２の内部に、後述するカードリーダ部１１０、カードホッパ部１２０が収納された構成であり、コンパクトな構成となっている。ディスプレイ１０３には、カードリーダ１００における処理状況や、電源のＯＮ／ＯＦＦ等の情報が表示される。また、外装蓋１０２と外装ベース１０１はロック１０４によって勘合しており、このロック１０４の開閉動作によって、両者は着脱可能となる。この外装蓋１０２を外装ベース１０１から外すことによって、内部のメンテナンスも容易となる。
【００１７】
図５は本発明の一実施の形態におけるカードリーダを示す側断面図である。
【００１８】
図５において、１はカードで、カード１にはデータの記録かもしくは再生の少なくとも一方を行うことが可能なメモリ部と、熱可逆性材料等を用いてキャラクタ等を印字・消去可能とした表示部が用いられている。メモリ部としては、磁気ストライブ、光学ストライプ、ＩＣ等が用いられる。表示部としては、熱可逆性材料を用いたリライト層や液晶層を用いたり、ライトワンスの追記型のものなどが用いられる。
【００１９】
図５に示すように、カードリーダ１００には、カードリーダ部１１０、カードホッパ部１２０を備えており、カードホッパ部１２０に重ねて配置されたカード１は、順次、カードリーダ部１１０に搬送され、このカードリーダ部１１０で処理された後、排出口２から排出される。
【００２０】
排出口２において、その開口は下方に傾斜した傾斜部２ｋを備えており、この傾斜部２ｋによって、カード１は自重によって、図中点線で示すカードスタッカに排出される。
【００２１】
また、カードリーダ部１１０、カードホッパ部１２０は外装ベース１０１に固定されており、カードリーダ部１１０、カードホッパ部１２０の位置関係は固定され、カード１の安定した処理が可能となる。
【００２２】
次に、カードリーダ部１１０、カードホッパ部１２０のそれぞれの構成について具体的に説明する。
【００２３】
先ず、カードリーダ部１１０について説明する。
【００２４】
図６は本発明の一実施の形態におけるカードリーダのカードリーダ部を示す側断面図であり、図７は本発明の一実施の形態におけるカードリーダのカードリーダ部を示す上面図である。
【００２５】
７はカード１を搬送する搬送路で、搬送路７は、少なくとも一つのガイダー等で構成される。具体例として、カード１の両側部を固定ガイドと可動ガイドの二つのガイド６によって案内しながら搬送することが、カード１の安定した搬送性を維持できるので好ましい。
【００２６】
３は回転軸１４に取り付けられた駆動ローラで、駆動ローラ３には従動ローラ８が対向している。従動ローラ８はコイルバネなどの弾性部材９によって搬送路７の方に付勢されている。この駆動ローラ３は回転軸１４を介して後述する駆動手段によって駆動力が伝達される。この駆動ローラ３と従動ローラ８でカード１を挟み込みカード１を搬送路７内で移動させる。
【００２７】
２００は搬送路７に出没自在に設けられた印字ユニットで、印字ユニット２００には印字部３７と矯正ローラ３６，３８が設けられている。印字部３７，矯正ローラ３６，３８にはそれぞれ駆動するローラ３１，２８，３４が対向している。印字ユニット２００は後述の駆動手段によって駆動され、カード１上に所定のキャラクタなどを印字する際には印字ユニット２００は搬送路７に突出し、カード１を矯正ローラ３６，３８とそれらローラに対向するローラ２８，３４で挟み込んで、カード１の曲がり等を矯正（反り等が発生している場合には反りを矯正する）し、印字部３７でカード１上に印字するので、良好な印字品質を得ることができる。
【００２８】
また、カード１上に所定のキャラクタを印字しない場合には、印字ユニット２００は搬送路７から後退し、カード１は矯正ローラ３６，３８とローラ２８，３４で挟み込まれず、しかも印字部３７とローラ３１にも挟み込まれないので、スムーズにカード１の搬送が行われる事になる。印字部３７としては、サーマルヘッドやインクジェットヘッド等が好適に用いられ、カード１の表示部としてリライト層を用いた場合にはサーマルヘッドを用い、カード１の表示部として追記式のものを用いる場合には、サーマルヘッドやインクジェットヘッドのいずれか一方が用いられる。また、カードの曲がりや反りを矯正する手段として、矯正ローラ３６，３８とローラ２８，３４を用いたが、例えば、搬送路７に出没する平板でカード１の曲がり等を矯正したりすることもできる。
【００２９】
７５は印字部３７を搬送路７の方に付勢する弾性部で、弾性部７５は例えばコイルバネなどが好適に用いられる。弾性部７５は印字部３７に設けられたシャフト６１に直接力を加えている。
【００３０】
７６，７７はそれぞれ矯正ローラ３６，３８に加重を加える弾性部で、弾性部７６，７７はコイルバネなどが好適に用いられる。この様に印字部３７，矯正ローラ３６，３８に個別に弾性部７５，７６，７７にて押圧力を付加することができるので、各種弾性部の押圧力を変えることによって、矯正ローラ３６，３８からカード１に加えられる押圧力を非常に大きくでき、しかも印字部３７からカード１に加えられる押圧力を小さくすることができる。この構成によって、矯正ローラ３６，３８から大きな押圧力をカード１に加えることで、カード１の曲がりなどの矯正を確実に行うことができ、しかも印字部３７におけるカード１の接触圧力を最適化する事ができるので、印字部３７（特にサーマルヘッドを用いた場合）の摩耗性を低減させることができるので、安定した印字品質、印字部３７の寿命を長くすることができる。
【００３１】
また、本実施の形態では、利便性や構造の簡略化等のために矯正ローラ３６，３８を印字ユニット２００に設け、印字部３７とともに、搬送路７に出没自在になるように構成したが、矯正ローラ３６，３８は、印字ユニット２００に一体に設けずに、別体とし、個別に搬送路７に出没自在になるように構成しても良い。この様な構成にすることで、多少構造が複雑になるものの、良好な印字品質とカード１の搬送路７内のスムーズな移動が可能となる。
【００３２】
更に、本実施の形態では、矯正ローラ３６，３８の２つの矯正ローラを用いたが、少なくとも一つの矯正ローラを用いることでも十分な矯正効果を得ることができる。例えば、矯正ローラ３８を設けずに矯正ローラ３６のみを設ける構成である。なお、矯正ローラの数を増やせば、矯正効果は向上するが、小型化等を考慮すると、矯正ローラ３８は４個以下とする事が好ましい。
【００３３】
５６はカード１からデータを読み出すかカード１にデータを記録する少なくとも一つの動作を行うデータ記録再生部で、本実施の形態では、データ記録再生部５６として磁気ヘッドを用いた。このデータ記録再生部５６に磁気ヘッドを用いた場合には、カード１には磁気ストライプが設けられる構成となっている。なお、データ記録再生部５６としては、磁気ヘッド以外に光学的にデータを記録か再生の少なくとも一方を行う光学ヘッド（この場合には、カード１には光ストライプやバーコード等が設けられている。）を用いても良い。
【００３４】
５８はデータ記録再生部５６（本実施の形態では磁気ヘッド）に対向する押圧ローラである。押圧ローラ５８は固定されず、データ記録再生部５６側に対して、弾性を有している。よって、カード１はデータ記録再生部５６及び押圧ローラ５８の双方から確実に挟み込まれ、確実なデータの記録か再生の少なくとも一方を行うことができる様構成されている。
【００３５】
このように、データ記録再生部５６と、これに対向する押圧ローラ５８の双方がカード１を確実に挟み込み、かつ、押圧ローラ５８が弾性を有しているので、カード１の厚みの変化に対応することができる。
【００３６】
４は回転軸１５に設けられた駆動ローラで、駆動ローラ４には従動ローラ１０が対向している。従動ローラ１０はコイルバネなどの弾性部材１１によって搬送路７の方に付勢されている。この駆動ローラ４は回転軸１５を介して後述する駆動手段によって駆動力が伝達される。この駆動ローラ４と従動ローラ１０でカード１を挟み込みカード１を搬送路７内で移動させる。
【００３７】
２０１は搬送路７に出没自在に設けられた消去ユニットで、消去ユニット２０１は、カード１の表示部に可逆性の表示手段を用いた場合に設けられるものである。すなわち、印字ユニット２００でカード１に印字し、その印字したものを消去する場合にはこの消去ユニット２０１で消去する。例えば、カード１の表示部に熱可逆性のリライト層などを用いた場合には、消去ユニット２０１としては、カード１の表示を所定の温度に加熱する加熱手段が搭載される。なお、カード１にキャラクタを追記してキャラクタ等を消去する必要がない場合には、この消去ユニットは不要になる。
【００３８】
消去ユニット２０１には消去部４９と矯正ローラ４８，５０が設けられている。消去部４９，矯正ローラ４８，５０にはそれぞれ駆動するローラ４３，４０，４６が対向している。ローラ４３，４０，４６にはそれぞれ回転軸４３ａ，４０ａ，４６ａが設けられている。消去ユニット２０１は後述の駆動手段によって駆動され、カード１上に画像形成された所定のキャラクタなどを消去する際には消去ユニット２０１は搬送路７に突出し、カード１を矯正ローラ４８，５０とそれらローラに対向するローラ４０，４６で挟み込んで、カード１の曲がり等を矯正（反り等が発生している場合には反りを矯正する）し、消去部４９でカード１上に形成された画像等を消去するので、良好な消去品質を得ることができる。
【００３９】
また、カード１上に所定のキャラクタを消去しない場合には、消去ユニット２０１は搬送路７から後退し、カード１は矯正ローラ４８，５０とローラ４０，４６で挟み込まれず、しかも消去部４９とローラ４３にも挟み込まれないので、スムーズにカード１の搬送が行われる事になる。消去部４９としては、発熱抵抗体（基板上に発熱体を設け、その発熱体を覆うようにガラスやシリカ等の保護膜を設けた構成のヒータ等）等が好適に用いられる。また、カード１の曲がりや反りを矯正する手段として、矯正ローラ４８，５０とローラ４０，４６を用いたが、例えば、搬送路７に出没する平板でカード１の曲がり等を矯正したりすることもできる。
【００４０】
９３は消去部４９を搬送路７の方に付勢する弾性部で、弾性部９３は例えばコイルバネなどが好適に用いられる。弾性部９３は消去部４９に設けられたシャフト８０に直接力を加えている。
【００４１】
９４，９５はそれぞれ矯正ローラ４８，５０に加重を加える弾性部で、弾性部９４，９５はコイルバネなどが好適に用いられる。この様に消去部４９，矯正ローラ４８，５０に個別に弾性部９３，９４，９５にて押圧力を付加することができるので、各種弾性部の押圧力を変えることにより、矯正ローラ４８，５０からカード１に加えられる押圧力を非常に大きくでき、しかも消去部４９からカード１に加えられる押圧力を小さくすることができる。この構成によって、矯正ローラ４８，５０から大きな押圧力をカード１に加えることで、カード１の曲がりなどの矯正を確実に行うことができ、しかも消去部４９におけるカード１の接触圧力を最適化する事ができるので、消去部４９（特に発熱抵抗体を用いた場合）の摩耗性を低減させることができるので、安定した消去特性、消去部４９の寿命を長くすることができる。
【００４２】
また、本実施の形態では、利便性や構造の簡略化等のために矯正ローラ４８，５０を消去ユニット２０１に設け、消去部４９とともに、搬送路７に出没自在になるように構成したが、矯正ローラ４８，５０は、消去ユニット２０１に一体に設けずに、別体とし、個別に搬送路７に出没自在になるように構成しても良い。この様な構成にすることで、多少構造が複雑になるものの、良好な消去品質とカード１の搬送路７内のスムーズな移動が可能となる。
【００４３】
更に、本実施の形態では、矯正ローラ４８，５０の２つの矯正ローラを用いたが、少なくとも一つの矯正ローラを用いることでも十分な矯正効果を得ることができる。例えば、矯正ローラ５０を設けずに矯正ローラ４８のみを設ける構成である。なお、矯正ローラ４８の数を増やせば、矯正効果は向上するが、小型化等を考慮すると、矯正ローラ４８は４個以下とする事が好ましい。
【００４４】
５は回転軸１６に取り付けられた駆動ローラで、駆動ローラ５には従動ローラ１２が対向している。従動ローラ１２はコイルバネなどの弾性部材１３によって搬送路７の方に付勢されている。この駆動ローラ５は回転軸１６を介して後述する駆動手段によって駆動力が伝達される。この駆動ローラ５と従動ローラ１２でカード１を挟み込みカード１を搬送路７内で移動させる。
【００４５】
５ａは回転軸１６ａに取り付けられた駆動ローラで、駆動ローラ５ａには従動ローラ１２ａが対向している。従動ローラ１２ａはコイルバネなどの弾性部材１３ａによって搬送路７の方に付勢されている。この駆動ローラ５ａと従動ローラ１２ａでカード１を挟み込みカード１を搬送路７内で移動させる。
【００４６】
５１は各駆動ローラを駆動する駆動部で、駆動部５１としてはモータなどが好適に用いられる。
【００４７】
２ａは挿入口であり、後述するカードホッパ部１２０から搬送されたカード１は、挿入口２ａからカードリーダ部１１０の内部に取り込まれる。
【００４８】
以下、カードリーダ部１１０の動作について、図６及び図７を用いて説明する。
【００４９】
まず駆動部５１が駆動すると、駆動部５１に設けられたギア５２が回転し、その駆動力はギア５３，５４を介してギア５５に伝達され、ギア５５には回転軸１６が固定されているので、ギア５５の回転に伴って回転軸１６も回転し、その結果駆動ローラ５が回転する。回転軸１６にはギア５５を設けた側と反対側にプーリ１９が設けられ、回転軸１６の回転とともにプーリ１９が回転する。プーリ１９にはベルト２１がプーリ１８との間に掛けられており、プーリ１９の回転はベルト２１を介してプーリ１８に伝達される。プーリ１８には回転軸１５が取り付けられており、プーリ１８の回転によって、回転軸１５も回転し、回転軸１５に設けられている駆動ローラ４も回転する。更にプーリ１８には、ベルト２０がプーリ１７との間に掛けられており、プーリ１８の回転はベルト２０を介してプーリ１７に伝達される。プーリ１７には回転軸１４が取り付けられており、プーリ１７の回転によって、回転軸１４も回転し、回転軸１４に設けられている駆動ローラ３も回転する。回転軸１４にはプーリ１７を設けた側と反対側にプーリ２２が設けられ、回転軸１４の回転と共にプーリ２２が回転する。プーリ２２にはベルト２６がプーリ２５に掛けられ、従って、プーリ２２の回転によってプーリ２５も回転する。プーリ２５の内側には一体にギアが設けられ、アイドラを介してギア４１に伝達され、回転軸４０ａを回転させ、それに伴って回転軸４０ａに取り付けられたローラ４０が回転し、更にギア４１の回転はアイドラを介してギア４４に伝達され、回転軸４３ａを回転させ、それに伴って回転軸４３ａに取り付けられたローラ４３が回転し、更に、ギア４４の回転はアイドラを介してギア４７に伝達され、回転軸４６ａを回転させ、それに伴って、回転軸４６ａに取り付けられたローラ４６が回転する。
【００５０】
また、別の経路で、プーリ２５の回転はアイドラを介してギア２９に伝達され、回転軸２８ａを回転させ、それに伴って回転軸２８ａに取り付けられたローラ２８が回転し、更にギア２９の回転はアイドラを介してギア３２に伝達され、回転軸３１ａを回転させ、それに伴って回転軸３１ａに取り付けられたローラ３１が回転し、更に、ギア３２の回転はアイドラを介してギア３５に伝達され、回転軸３４ａを回転させ、それに伴って、回転軸３４ａに取り付けられたローラ３４が回転する。
【００５１】
この様に、駆動部５１を駆動させることで、駆動ローラ３，４，５及びローラ３４，３１，２８，４０，４３，４６を回転駆動させ、カード１を搬送路７内で移動させ、カード１上に所定のキャラクタ等を印字か或いは消去するか、もしくはデータの記録・再生の少なくとも一方の動作を行わせる。また、駆動部５１の回転方向を制御することで、カード１を挿入口２ａ側から排出口２側の方へ搬送路７内において移動させたり、その逆方向に移動させたりする。
【００５２】
次に、カードホッパ部１２０について説明する。
【００５３】
図８は本発明の一実施の形態におけるカードリーダのカードホッパ部を示す斜視図である。
【００５４】
カードホッパ部１２０には、ホッパ部１２１に積層され蓄積されたカード１をカードリーダ部１１０に供給口１２２を介して供給するための駆動手段を備えている。駆動手段はプーリ１２３、１２４、１２５、１２６、１２７と、これらのプーリ群のそれぞれの回転軸に取り付けられたローラ群、及び、プーリ１２３、１２４、１２５、１２６を連接するベルト１２８、更に、プーリ１２４、１２７を連接するベルト１２９、そして、駆動部であるモータ１３０とで構成されている。
【００５５】
モータ１３０により、その回転軸に取り付けられたプーリ１２４が回転し、この回転はベルト１２８を介して、プーリ１２４、１２５、１２６が回転する。更に、プーリ１２４の回転はベルト１２９によって、プーリ１２７に伝達される。これらのプーリ群が回転によって、それぞれの回転軸に取り付けられたローラ群が回転し、ホッパ部１２１の最下層にあるカード１が抜き出されて、供給口１２２からカードリーダ部１１０の挿入口２ａに搬出される。
【００５６】
また、調整ナット１３１は、プーリ１２７に固定され、この調整ナット１３１を回転させることで、カード１を手動にて搬送することもできる。この調整ナット１３１を備えたことによって、カード１が搬送途中で詰まった場合にも、カードホッパ部１２０を分解することなく、カード１の取り出しが可能となる。
【００５７】
次に、カードリーダ１００におけるカード１の処理方法の一例を説明する。
【００５８】
まず、カードホッパ部１２０において、モータ１３０により、プーリ群の回転軸に取り付けられたローラ群が回転し、ホッパ部１２１の最下層にあるカード１が抜き出されて、供給口１２２からカードリーダ部１１０の挿入口２ａに搬出される。
【００５９】
次に、駆動部５１を回転駆動させ、それにともなって、駆動ローラ３，４，５及びローラ３１，３４，２８，４０，４３，４６を回転させることで、カード１をカードリーダ部１１０の内部に取り込む。
【００６０】
そして、排出口２側に向かってカード１は搬送され、データ記録再生部（本実施の形態の場合磁気ヘッド）５６でカード１にデータを記録する。
【００６１】
その後に制御部は駆動部５１の回転を反対方向にし、カード１を挿入口２ａの方向に移動させ、その時にカード１に記録したデータを読み取り、データの記録ミスが無いかどうかチェックする（ベリファイ）。
【００６２】
なお、この時、カード１にデータの記録再生の少なくとも一方を行う動作の最中には、印字ユニット２００と消去ユニット２０１は搬送路７から退却しており、従って、各矯正ローラ及び印字部３７と消去部４９も搬送路７から後退しているので、カード１の移動がスムーズに行われ、データの記録かまたは再生に支障をきたすことはなく、しかもカード１は強い押圧力でカード１を挟み込む各矯正ローラとほぼ非接触とすることができるので、カード１と各矯正ローラの接触時間を短くすることができるので、カード１の寿命を長くすることなどができる。
【００６３】
次に、カード１のベリファイが終了した後に、カード１は搬送路７の挿入口２ａ側まで移動し、再度、カード１を排出口２側の方向へ移動させるとともに、消去ユニット２０１を搬送路７の方へ移動させ、カード１を矯正ローラ４８，５０で挟み込んでカード１の曲がりなどを矯正し、消去部４９にてカード１に印字されたキャラクタなどを消去する。この時、矯正ローラ４８，５０にてカード１の曲がりなどを矯正するので、優れた消去特性を得ることができる。
【００６４】
次に、カード１に所定のキャラクタ等を印字する必要がある場合には、印字ユニット２００を搬送路７の方へ移動させる。この時、カード１は矯正ローラ３６，３８によって、カード１の曲がりなどが矯正されて、印字部３７にて所定のキャラクタを印字して、カード１を排出口２から外部へ排出する。
【００６５】
そして、カードホッパ部１２０のホッパ部１２１に配置されたカード１の全処理が完了するまで、この動作を繰り返し行う。
【００６６】
このように、本実施の形態によるカードリーダ１００によれば、搬送系も簡単な機構となっており、外装ベース１０１と外装蓋１０２とで構成される筐体内に、カードリーダ部１１０、カードホッパ部１２０が収納されているので、コンパクトなものとなる。
【００６７】
更に、外装ベース１０１にカードリーダ部１１０、カードホッパ部１２０が固定配置されるため、搬送路の連係にブレを生じることがなく、耐振動性能を向上させることができ、カードの安定した処理を可能とすることができる。
【産業上の利用可能性】
【００６８】
本発明に係るカードリーダは、コンパクトでメンテナンスに優れることが求められるようなカード等の情報記録媒体に、データの記録か再生の少なくとも一方を行うカードリーダに適用することができる。
【図面の簡単な説明】
【００６９】
【図１】本発明の一実施の形態におけるカードリーダを示す正面図
【図２】本発明の一実施の形態におけるカードリーダを示す側面図
【図３】本発明の一実施の形態におけるカードリーダを示す上面図
【図４】本発明の一実施の形態におけるカードリーダを示す背面図
【図５】本発明の一実施の形態におけるカードリーダを示す側断面図
【図６】本発明の一実施の形態におけるカードリーダのカードリーダ部を示す側断面図
【図７】本発明の一実施の形態におけるカードリーダのカードリーダ部を示す上面図
【図８】本発明の一実施の形態におけるカードリーダのカードホッパ部を示す斜視図
【符号の説明】
【００７０】
１    カード
２    排出口
２ａ    挿入口
３，４，５，５ａ    駆動ローラ
７    搬送路
３７    印字部
４９    消去部
５１    駆動部
５６    データ記録再生部
１００    カードリーダ
１１０    カードリーダ部
１２０    カードホッパ部
２００    印字ユニット
２０１    消去ユニット
【図１】
2007193632.tif 000003
【図２】
2007193632.tif 000004
【図３】
2007193632.tif 000005
【図４】
2007193632.tif 000006
【図５】
2007193632.tif 000007
【図６】
2007193632.tif 000008
【図７】
2007193632.tif 000009
【図８】
2007193632.tif 000010